Podtech/llm-jp-corpus-v4-ja_patent huggingface dataset:
(57)【要約】      （修正有）【課題】正座をしても足が痛くなりにくく、道具を安定して置くことができる畳を提供する。【解決手段】畳床２の上面に形成された凹部２Ｍに緩衝部材３が収容される緩衝部材内蔵の畳１００であって、人が座る着座領域Ｒ１と道具が置かれる道具載置領域とが予め設定されており、着座領域には緩衝部材が内蔵され、道具載置領域には緩衝部材が内蔵されていない。【選択図】図２
0003220529.tif 000002
【実用新案登録請求の範囲】
【請求項１】
畳床の上面に形成された凹部に緩衝部材が収容されることにより前記緩衝部材が内蔵された畳であって、
人が座る着座領域と道具が置かれる道具載置領域とが予め設定されており、
前記着座領域には前記緩衝部材が内蔵されており、前記道具載置領域には前記緩衝部材が内蔵されていないことを特徴とする畳。
【請求項２】
前記道具載置領域は、前記着座領域に対して前側、右側又は左側に設定されていることを特徴とする請求項１記載の畳。
【請求項３】
前記道具が茶道具、華道具、書道具、仏具、又は神具であることを特徴とする請求項１又は２記載の畳。
【考案の詳細な説明】
【技術分野】
【０００１】
この考案は、畳に関するものである。
【背景技術】
【０００２】
従来、特許文献１に示すように、畳にクッション材などの機能性部材を内蔵させることによって、畳に種々の機能を持たせたものが考えられている。
【０００３】
クッション材を内蔵させた畳に正座する場合には、足が痛くなりにくくなると考えられる。
【０００４】
しかしながら、単にクッション材を内蔵した畳では、道具等を安定して置くことができないという問題がある。なお、特許文献１の段落００１１に記載されているように、当該畳を歩く際に不便となることも考えられる。
【先行技術文献】
【特許文献】
【０００５】
【特許文献１】特開２０００−２８２６６５号公報
【考案の概要】
【考案が解決しようとする課題】
【０００６】
そこで、本考案は、上記問題点を解決すべくなされたものであり、正座をしても足が痛くなりにくく、道具を安定して置くことができる畳を提供することを主たる課題とするものである。
【課題を解決するための手段】
【０００７】
すなわち本考案に係る畳は、畳床の上面に形成された凹部に緩衝部材が収容されることにより前記緩衝部材が内蔵された畳であって、人が座る着座領域と道具が置かれる道具載置領域とが予め設定されており、前記着座領域には前記緩衝部材が内蔵されており、前記道具載置領域には前記緩衝部材が内蔵されていないことを特徴とする。
【０００８】
このような畳によれば、着座領域には緩衝部材が内蔵されてクッション性を付与しているので、正座しても足が痛くなりにくくなる。また、道具載置領域には緩衝部材が内蔵されていないので、道具を安定して置くことができる。さらに、着座領域のみに緩衝材を内蔵することによって、その他の部分には緩衝部材が設けられないことになり、着座部分以外の上を歩く場合に不便となることはない。
【０００９】
座った状態で道具を利用しやすくするためには、前記道具載置領域は、前記着座領域に対して前側、右側又は左側に設定されていることが望ましい。
【００１０】
前記道具としては、例えば、茶道具、華道具、書道具、仏具、又は神具であることが考えられる。
【考案の効果】
【００１１】
このように構成した本考案によれば、正座をしても足が痛くなりにくく、道具を安定して置くことができる畳を提供することができる。
【図面の簡単な説明】
【００１２】
【図１】本考案の一実施形態における畳の平面図である。
【図２】同実施形態の畳の断面図である。
【図３】変化実施形態に係る畳の平面図である。
【考案を実施するための形態】
【００１３】
本考案の一実施形態について、図面を参照して説明する。
【００１４】
本実施形態に係る畳１００は、図１及び図２に示すように、畳床２の上面に形成された凹部２Ｍに緩衝部材３が収容されることにより緩衝部材３が内蔵されたものである。
【００１５】
畳床２は、複数層の畳床要素２ａ〜２ｄから構成されており、その最上層の畳床要素２ａの一部がくり抜かれている。そして、最上層の畳床要素２ａと２層目の畳床要素２ｂとによって凹部２Ｍが形成される。その他、最上層及び２層目の畳床要素２ａ、２ｂの一部がくり抜かれて、最上層及び２層目の畳床要素２ａ、２ｂと３層目の畳床要素２ｃとによって凹部２Ｍが形成されていても良い。
【００１６】
緩衝部材３は、弾性力を有するクッション材であり、例えば、樹脂製のものであってもよいし、織布や不織布であっても良い。なお、緩衝部材３の厚みは、例えば１０〜３０ｍｍである。
【００１７】
また、畳床２及び緩衝部材３は、それらの上面が畳表４により覆われている。また、畳表４の長辺には畳縁５が設けられている。
【００１８】
そして、本実施形態の畳１００は、人が座る着座領域Ｒ１と道具が置かれる道具載置領域Ｒ２とが予め設定されており、着座領域Ｒ１にのみ緩衝部材が内蔵されており、道具載置領域には前記緩衝部材が内蔵されていない構成とされている。ここで、道具としては、例えば、茶道具、華道具、書道具、仏具、又は神具とすることが考えられる。また、道具載置領域Ｒ２は、着座領域Ｒ１に対して前側、右側又は左側に設定されている。
【００１９】
図１に示す畳は、茶道具を置くことを想定した茶道用畳である。着座領域Ｒ１は、畳１００の中央部に設定されており、平面視矩形状をなす領域においてその右上角を欠いた領域である。また、道具載置領域Ｒ２は、着座領域Ｒ１の右斜め上に設定されており、上記の右上角の欠いた領域を含む領域である。
【００２０】
このように構成された本実施形態の畳１００によれば、着座領域Ｒ１にのみ緩衝部材３が内蔵されてクッション性を付与しているので、正座しても足が痛くなりにくくなる。また、道具載置領域Ｒ２には緩衝部材３が内蔵されていないので、道具を安定して置くことができる。
【００２１】
なお、本考案は前記実施形態に限られるものではない。
【００２２】
例えば、前記実施形態では、道具載置領域Ｒ２が茶道具を想定して着座領域Ｒ１の右斜め上に設定されているが、図３に示すように、着座領域Ｒ１の前側、左側、右側であっても良い。また、後側であっても良い。
【００２３】
また、着座領域Ｒ１は、前記実施形態の領域に限られず、平面視において矩形状をなすものであってもよいし、円形状をなすものであってもよいし、その他の形状であっても良い。
【００２４】
このように着座領域Ｒ１及び道具載置領域Ｒ２の位置及び形状は、任意に設定することができる。
【００２５】
さらに、着座領域Ｒ１は、畳１００において２つ以上設定されたものであっても良い。
【００２６】
その他、本考案は前記実施形態に限られず、その趣旨を逸脱しない範囲で種々変形が可能である。
【符号の説明】
【００２７】
１００・・・畳
２    ・・・畳床
２Ｍ  ・・・凹部
３    ・・・緩衝部材
４    ・・・畳表
５    ・・・畳縁
Ｒ１  ・・・着座領域
Ｒ２  ・・・道具載置領域
【図１】
0003220529.tif 000003
【図２】
0003220529.tif 000004
【図３】
0003220529.tif 000005
(57)【要約】      （修正有）【課題】丸棒の材質、筆記具の先の太さにかかわりなく、容易に丸棒の芯出しが可能となる丸棒芯出し具を提供する。【解決手段】直角等辺Ｌ型アングルの９０度を二分する線と、厚みの中心がその線と一致するようアングル内に板材２を設置し、板材の厚み方向両端を任意の筆記具で線引きして丸棒の面３に平行線を描き、次に丸棒を回転させて先の平行線と直角になるよう線引きして正方形を描き、これに対角線を入れてその交点を丸棒の芯とする。【選択図】図１
0003220513.tif 000002
【実用新案登録請求の範囲】
【請求項１】
直角等辺Ｌ型アングルの角度の中間に設置する仕切り板の厚みの中心が等辺Ｌ型アングルの９０度を二分する位置に設置した丸棒芯出し具。
【考案の詳細な説明】
【技術分野】
【０００１】本考案は、金属または木材の丸棒の面にあたる円の中心点である芯を出す器具に関する。
【背景技術】
【０００２】これまでは角度９０度の部材にこれを２等分する部材を取り付け，これに沿って線引きしてから丸棒を回転させ、先の線と交差するように再度線引きして交点を形成し、これを丸棒の芯とする方法であった。【０００３】金属丸棒の場合は、先の鋭利なケガキ針で線引きを行うので、比較的正確な中心点を導き出せるが、木材丸棒ではケガキ針での線引きは、線が不鮮明という欠点があり、実用的には鉛筆を使用しての線引きとなる。【０００４】しかし鉛筆の芯は先を鋭利にしても限界があり、ある程度の太さでの線引きとなる。【０００５】複雑な装置を用いれば可能と思われるが、日常ＤＩＹには適さない。【０００６】したがって現状で鉛筆など先がある程度の太さを有する筆記具での線引きで、正確に丸棒の芯を出すことは不可能である。【０００７】また丸棒の面にのせて芯を出す矢印型の道具も市販されているが、丸棒をバイスなどで固定する手間を要し、細い丸棒では不安定で、長い丸棒では扱いにくいなど不向きであった。
【先行技術文献】
【０００８】芯出装置（実開昭５８−０９８１３５）
金属丸棒支持具（特開昭５６−０８２１５４）
心だし用具（実開昭５３−１１５４９９）
丸棒の芯出器（実開昭５７−１０５９０４）
治具ブロック（実開平０６−０５１８０）
芯出装置（公開番号ＪＰＳ５８９８１３５Ｕ）
旋盤における二重六点支持自動心出し装置（公開番号ＪＰＨ０４２３２４Ｕ）
商品名センターファインダ、センタースコヤ（モノタロウ通販）
【考案の概要】
【考案が解決しようとする課題】
【０００９】金属丸棒でも木材丸棒でも日常使用する筆記具で、それらの芯を容易に出すことにある。【００１０】従来の丸棒の芯出しの方法はいずれも、筆記具の先が限りなく細いという前提での使用であって、鉛筆などの様に先が丸くなっているものの使用には不適であるという制限があった。
【課題を解決するための手段】
【００１１】任意の長さと幅を有する直角等辺Ｌ型アングルの小口に、奥行き１ｃｍ程度、縦は当該アングルと同じ寸法で任意の厚みを有する長方形の板材を、その厚みの中心が当該アングルの角度の９０度を二分する位置に設置する。【００１２】その長方形の部材と丸棒の円形の面が接している状態に於いて、その長方形の部材の厚みの中心線は丸棒の直径と一致することになる。すなわち丸棒の芯を通っていることになる。【００１３】それらが接する左右の境界を任意の太さを有する筆記具で線引きし左右２本の平行線を設ける。筆記具の先の太さに関係なく丸棒の直径はその２本の平行線の中間にあることになる。【００１４】丸棒を回転させ先に設けた平行線と長方形の部材がほぼ直角になる位置で、同じく平行線を設けると丸棒の芯を囲む小さい正方形に近い図形が描かれる。【００１５】その正方形に対角線を引けば、正確な丸棒の芯が出る。【００１６】引いた対角線が不適切な場合は目視にて容易に判明するので、引き直せばよい。【００１７】試作検討の結果、長方形の部材の厚さは３ｍｍから５ｍｍが最適である。【００１８】従来品と構造は似ているが、従来品は角度を二分する仕切り板の片方の面と丸棒の面と接するところが丸棒の中心とするのに対し、本考案は丸棒の中心を囲む図形を形成するというところが異なる。
【考案の効果】
【００１９】当考案により、丸棒の材質、筆記具の先の太さにかかわりなく。容易に丸棒の芯出しが可能となる。
【図面の簡単な説明】
【００２０】
【図１】直角等辺Ｌ型アングルに角度を二分する板を設置して丸棒をのせた斜視図
【図２】図１の正面図
【考案を実施するための形態】
【００２１】以下、本考案の実施の形態を図に基づいて説明する。
【実施例】
【００２２】［図１］の直角等辺Ｌ型アングルを形成する。【００２３】［図１］の直角等辺Ｌ型アングルに角度を二分する位置に板を設置する。【００２４】［図２］において、丸棒と角度を二分する板が接している状態で２ａと２ｂに沿って線引きを行う。【００２５】線引き後、丸棒を９０度回転させ、同様に２ａ、２ｂに沿って線引きして丸棒の中に正方形に近いものを描いて対角線を引けば、その交点が丸棒の芯となる。
【産業上の利用可能性】
【００２６】本考案は丸棒の芯出しに利用される。
【符号の説明】
【００２７】１    直角等辺Ｌ型アングル
２    厚みの中心が直角等辺Ｌ型アングルの９０度を二分する板材
２ａ  ２の板材の右端
２ｂ  ２の板材の左端
３    丸棒
【図１】
0003220513.tif 000003
【図２】
0003220513.tif 000004
(57)【要約】      （修正有）【課題】美術館のような釘打ちができない環境において、複数段に整然と作品を容易に展示することができるキャンバス支持具を提供する。【解決手段】キャンバス支持具は、キャンバスを裏面から支持するＬ字形をなし、壁面に取り付ける垂直部７と垂直部から水平方向に伸びる水平部８を備え、水平部の先端には、キャンバスの作品面とキャンバスの支持枠との隙間に嵌って抜け止めとなるフック部４が設けられている。使用に際しては、まずキャンバス支持具の垂直部を壁面に当て、適宜な位置で押しピンの針を貫通穴２に通して壁面に固定する。次に、キャンバスを支持具に引っ掛けるように吊り下げる。すると、水平部がキャンバス支持枠の下端面を支持した状態で先端フックがキャンバスと、支持木枠との間に嵌り込む、これにより簡単にキャンバスを壁面に安定して吊り下げることができる。【選択図】図１
0003220539.tif 000002
【実用新案登録請求の範囲】
【請求項１】
キャンバスを裏面から支持する側面視L字形をなし、壁面に取り付ける垂直部と前記垂直部から水平方向に伸びる水平部を備え、前記水平部の先端には、前記キャンバスの作品面と該キャンバスの支持木枠との間の隙間に嵌って抜け止めとなるフック部が設けられているキャンバス支持具。
【請求項２】
前記垂直部には、前記壁面に押しピンで固定するための貫通穴を少なくても１つ設けられている請求項１に記載のキャンバス支持具。
【請求項３】
前記貫通穴の周囲には、前記押しピンの頭が嵌る凹部が設けられている請求項２に記載のキャンバス支持具。
【考案の詳細な説明】
【技術分野】
【０００１】
本考案は、美術館などの釘打ち不可の壁面に美術作品を押しピンで展示するためのキャンバス支持具に関するものである。
【背景技術】
【０００２】
美術館やギャラリー、展示用パネルは作品を掲示する際に釘を使ってはいけない規定がある。作品は押しピン２本で止め、作品前面から見えないように吊りかけるのが一般的ではある。２本の押しピンのみでは、平行や隙間を均等にして整然と展示することは時間がかかり困難であることと、作品の自重で落下しやすいという心配があった。
【先行技術文献】
【特許文献】
【０００３】
【特許文献１】特開平10-071061  号公報
【考案の概要】
【考案が解決しようとする課題】
【０００４】
美術館やギャラリーにおいて釘打ちができない環境において、絵画等の展示において複数段を整然と作品（キャンバス・木製パネル）を展示することは、展示ワイヤーや２か所で止めるプッシュピンを用いても、展示することは手間がかかり煩わしい。パネルごとにその幅が異なり、展示パネルの幅に応じて壁面の吊り下げ箇所を決定しなければならない展示作業の困難さの欠点を解決しようとするものである。
【課題を解決するための手段】
【０００５】
本考案に係るキャンバス支持具１は、キャンバスを裏面から支持する側面視L字形をなし、壁面６に取り付ける垂直部７と前記垂直部から水平方向に伸びる水平部８を備え、前記水平部の先端には、前記キャンバスの作品面と該キャンバスの支持木枠９との隙間１１に嵌って抜け止めとなるフック部４が設けられている。
【０００６】
使用に際しては、まずキャンバス支持具１の垂直部７を壁面６に当て、適宜な位置で押しピンの針を貫通穴２に通して壁面に固定する。次に、キャンバスを前記支持具に引っ掛けるように吊り下げる。すると、前記水平部８がキャンバス支持木枠９の下端面３を支持した状態で先端のフック部４がキャンバスと、支持木枠９との間１１に嵌り込む。これにより簡単にキャンバスを壁面に吊り下げることができる。
【０００７】
また、前記垂直部７には、前記壁面６に押しピンで固定するための貫通穴２を少なくても１つ設けられている。好ましくは、水平方向に３つ貫通穴２を設けておく、そして、中央の貫通穴２に押しピンを挿通して支持具１を取り付け、その状態でキャンバスを吊るして水平にする。次に、キャンバスを支持具１から外して、残り２つの穴２に押しピンを挿通して固定する。また、前記貫通穴２の周囲には、前記押しピンの頭が嵌る凹部５が設けられている。これにより、押しピンで水平に壁面に取り付けることができるから、一切の工具を必要としないメリットがある。また、押しピンの頭を凹部５に収めることができるから、押しピンの針をより深く壁面に押し込むことができ、抜け難い支持具とすることができる。
【考案の効果】
【０００８】
押しピンだけで簡単に強固に固定されるキャンバス支持具とすることで展示作業の困難さの欠点を解決することができる。
【図面の簡単な説明】
【０００９】
【図１】本考案に係るキャンバス支持具の外観斜視図
【図２】前記支持具でキャンバスを支持する時の説明図
【考案を実施するための形態】
【００１０】
本考案に係るキャンバス支持具１は、合成樹脂材料や軽量金属を材質とする。形態は、図１に示すように側面視L字形をなし、壁面に取り付ける垂直部７と前記垂直部７から水平方向に伸びる水平部８を備え、前記水平部の先端には、前記キャンバス１０の作品面と該キャンバス１０の支持木枠９との隙間１１に嵌って抜け止めとなるフック部４が設けられている。
【００１１】
また、前記垂直部７には、前記壁面に押しピンで固定するための貫通穴２を少なくても１つ、好ましくは、図１では、都合３個水平方向に設けられており、前記貫通穴２の周囲には、前記押しピンの頭が嵌る凹部５が設けられているものである。
【００１２】
使用に際しては、まずキャンバス支持具１の垂直部７を壁面６に当て、適宜な位置で押しピンの針を貫通穴２に通して壁面に固定する。次に、キャンバス１０を前記支持具１に引っ掛けるように吊り下げる。すると、前記水平部８がキャンバス支持木枠９の下端面３を支持した状態で先端フック４がキャンバスと、支持木枠９との間１１に嵌り込む、これにより簡単にキャンバスを壁面に吊り下げることができる。この時、前述したように、キャンバス１０を水平にした後、キャンバス支持具１の全ての貫通穴２に押しピンを通して固定する。そうすれば、このキャンバス支持具１を１つ壁に取り付けるだけで、キャンバスを水平に保持することができる。なお、キャンバス支持具１の水平方向の長さは適宜に伸ばすことができるから１つのキャンバス支持具１だけでも、キャンバスを水平に保つことができる。落下防止用に引っかかるフック４があるため少々振動や衝撃があっても安定して支持することが可能である。
【００１３】
なお、水平部８は、厳密に水平に伸びているものに限定されず、少なからず上下に傾斜していてもよい。
【符号の説明】
【００１４】
１キャンバス支持具
２押しピン針の貫通穴
３キャンバス支持木枠の下端面
４フック部
５押しピンの頭が嵌る凹部
６被展示壁面
７垂直部
８水平部
９キャンバス支持木枠
１０キャンバス作品前面
１１キャンバス支持木枠前面斜行切削部と作品面との隙間
【図１】
0003220539.tif 000003
【図２】
0003220539.tif 000004
(57)【要約】      （修正有）【課題】木造建築物の屋根構造に使用される野地パネルであって、棟形成する野地パネル頂部の防水又は断熱機構を確保する。【解決手段】小屋組の棟木上を跨いで棟形成する野地パネルであって、あらかじめ工場内で所定の構成材を山形状に組み付け、且つ野地パネル１内に沿って装着した断熱材２と、該野地パネル１頂部に係る該断熱材２の合わせ目上下を塞ぐ防水シール材３とを有してこれらを一体に成し、棟木上に棟形成する野地パネル頂部の防水又は断熱機構を確保できる構造とした。【選択図】図２
0003220533.tif 000002
【実用新案登録請求の範囲】
【請求項１】
小屋組の棟木上を跨いで棟形成する野地パネルであって、あらかじめ工場内で所定の構成材を山形状に組み付け、且つ野地パネル内に沿って装着した断熱材と、該野地パネル頂部に係る該断熱材の合わせ目上下を塞ぐ防水シール材とを有してこれらを一体に成し、棟木上に棟形成する野地パネル頂部の防水又は断熱機構を確保できる構造とした野地パネル。
【考案の詳細な説明】
【技術分野】
【０００１】  本考案は、木造建築物の屋根構造に用いる野地パネルに関する。
【背景技術】
【０００２】  従来より、工期短縮や工費節減等の目的達成の為、屋根構成部材を工場等において一体成形した屋根パネル或いは野地パネルを用いて現場施工するパネル工法により、現場における施工作業数を軽減している。【０００３】  これらのパネル工法によれば現場施工時間を大幅に短縮できるものであるが、施工上、接合端面間における防水又は断熱構造をいかにするかが一つの問題となっている。【０００４】この問題を解決するための従来技術として、次の屋根の棟構造が提案されている。
【先行技術文献】
【特許文献】
【０００５】
【特許文献１】特開２０１６−２０４８９７号公報
【考案の概要】
【考案が解決しようとする課題】
【０００６】  しかしながら、上記、従来の技術によれば、屋根棟接合部の気密性において防水又は断熱構造の不具合が生じる問題点を有していた。【０００７】本考案は、上記従来有する問題点に鑑み、木造建築物の屋根構造に使用される野地パネルに関し、特に棟形成する野地パネル頂部の防水又は断熱機構を確保しようとするものである。
【課題を解決するための手段】
【０００８】  小屋組の棟木上を跨いで棟形成する野地パネルであって、あらかじめ工場内で所定の構成材を山形状に組み付け、且つ野地パネル１内に沿って装着した断熱材２と、該野地パネル１頂部に係る該断熱材２の合わせ上下を塞ぐ防水シール材３とを有してこれらを一体に成し、棟木上に棟形成する野地パネル頂部の防水又は断熱機構を確保できる構造とした。
【考案の効果】
【０００９】  本考案によれば、あらかじめ工場内で所定の構成材を山形状に組み付け、野地パネルの頂部に防水又は断熱機構を確保していることから、現場においては防水又は断熱効果を得るための特別な作業を必要とせず、作業数を軽減することができ、また、現場施工時間の短縮及び工費節減を図る効果も期待できる。
【考案を実施するための最良の形態】
【００１０】  以下、本考案の実施の形態について、図面を参照して説明する。
図１・図２に示すように、本考案に於いては、小屋組の棟木上を跨いで棟形成する野地パネルであって、あらかじめ工場内で所定の構成材を山形状に組み付け、且つ野地パネル１内に沿って装着した断熱材２と、該野地パネル１頂部に係る該断熱材２の合わせ目上下を塞ぐ防水シール材３とを有してこれらを一体に成し、棟木上に棟形成する野地パネル頂部の防水又は断熱機構を確保できる構造とし、木造建築物の屋根構造に用いられる。
【図面の簡単な説明】
【００１１】
【図１】  本考案に於ける野地パネルの略形状を示す正面図である。
【図２】  本考案に於ける野地パネルの断面図である。
【符号の説明】
【００１２】    １  野地パネル
２  断熱材
３  防水シール材
【図１】
0003220533.tif 000003
【図２】
0003220533.tif 000004
(57)【要約】      （修正有）【課題】災害時暗所においても位置を明確にし、安全、且つ、スムーズな避難誘導を補助する手すりを提供する。【解決手段】直径を凡そ３．２ｃｍから６ｃｍとなした木製丸棒の同一線上に、１０ｍｍの間隔で直径１２ｍｍ、深さ９ｍｍの孔穴Ａを設け、滑り止めとして、直径１２ミリ、深さ８ミリのシリコン入りのゴム製チップを埋め込む。また、ゴム製チップと並列したかたちで、２０ｍｍから５０ｍｍの間隔で、直径６ｍｍ、深さ４ｍｍの孔穴Ｂを設け、蓄光顔料粉と白色シリコン樹脂を混合した蓄光体と、蛍光顔料粉と透明のシリコン樹脂を混合した蛍光体とを交互に流し込み、表面を直径６ｍｍ、厚さ１ｍｍのビニールチップで覆う構成とする。【選択図】図１
0003220584.tif 000002
【実用新案登録請求の範囲】
【請求項１】
木製の丸棒側面に、直径１２ｍｍ、深さ９ｍｍの孔穴を１０ｍｍの間隔で同一線上に設け、滑り止め効果の高いシリコン入りのゴム製チップを埋め込んだことを特徴とする手すり
【請求項２】
請求項１記載の手すりにおいて、シリコン入りのゴム製チップと並列したかたちで、木製の丸棒側面に直径６ｍｍ、深さ４ｍｍの孔穴を２０ｍｍ〜５０ｍｍの間隔で同一線上に設け、暗所で光を放つ蓄光顔料粉と白色のシリコン樹脂を混合した蓄光体と、光を反射する蛍光顔料粉と透明のシリコン樹脂を混合した蛍光体とを交互に流し込んだ後、表面を透明のビニールチップで覆い、仕上げたことを特徴とする手すり
【考案の詳細な説明】
【技術分野】
【０００１】  本考案は、滑り止め効果の高いシリコン入りゴム製チップと、蓄光体、蛍光体の２種類の光体を埋め込んだ、木製手すりに関するものである。
【背景技術】
【０００２】  手すりは、動作や移動を補助し、階段の上り下りをスムーズにする。また、転倒、転落の防止となり、安全の確保につながるものとして、販売、設置されているが、握力や体力の程度によってはしっかりと握ることができないために、怪我につながる危険性が考えられる。
しかも、暗所ではその位置は不明確であり、夜間災害時においては、安全の確保という本来の役割が果たせなくなる可能性が考えられる。
現在市販されている手すりには、滑り止め対策として本体にくぼみを施した物や、滑り止めテープがある。暗所での対策としては、電池使用のライトが取り付けられた物や、蓄光体を埋め込んだ物などがある。
【先行技術文献】
【特許文献】
【０００３】
【特許文献１】登録実用新案公報  実用新案登録第３０８４４６４３号
【非特許文献】
【０００４】
【非特許文献１】東日本大震災被害調査団緊急地震被害調査報告書、土木学会地震工学委員会、平成２３年５月９日
【非特許文献２】三浦佳世：知覚と感性の心理学、岩波書店、２００７
【非特許文献３】井上容子ほか：防犯照明の見え方に関する研究報告（青色などの有彩色光の影響について）、２００６年照明学会  関西支部（防犯照明の見え方に関する研究委員会）、２００７、８
【考案の概要】
【考案が解決しようとする課題】
【０００５】  くぼみを施したものは弱い握力では握りにくい。テープは経過とともに剥離してしまうことや、手との摩擦により効果が薄れてしまうという課題が挙げられる。また、電池使用のライトは、災害時においては電源確保が困難になるという課題が挙げられる。
本考案は、滑り止め効果の高いシリコン入りゴム製チップと、蓄光体、蛍光体の２種類の光体を埋め込むことにより、従来の手すりの課題を解決しようとするものである。
【課題を解決するための手段】
【０００６】  本考案では、直径が凡そ３．２ｃｍから６ｃｍの木製丸棒に、直径１２ｍｍ、深さ９ｍｍの孔穴を、１０ｍｍの間隔で同一線上に設け、シリコン入りのゴム製チップを埋め込む。
また、ゴム製チップと並列した形で、直径６ｍｍ、深さ４ｍｍの孔穴を、２０ｍｍ〜５０ｍｍの間隔で同一線上に設け、蓄光体と蛍光体の２種類の光体を交互に流し込んだ後、表面を透明のビニールチップで覆い、仕上げる。蓄光体は、暗所で光を放つ蓄光顔料粉と白色のシリコン樹脂との混合材であり、蛍光体は、光を反射する蛍光顔料粉と透明のシリコン樹脂との混合材である。
【考案の効果】
【０００７】  上述のように、滑り止め効果の高いシリコン入りゴム製チップを埋め込むことにより、弱い握力でもしっかりと握ることができ、より安全な移動が可能になる。
また、暗所で光を放つ蓄光顔料粉と白色のシリコン樹脂を混合した蓄光体と、光を反射する蛍光顔料粉と透明のシリコン樹脂を混合した蛍光体を交互に埋め込むことで、蓄光と、蛍光による光の反射は、災害時の電源が得られない状況下においても安全、且つ、スムーズな避難誘導を補助することに役立つ。
【図面の簡単な説明】
【０００８】
【図１】木製丸棒の斜視図
【図２】シリコン入りゴム製チップの形状および孔穴の詳細図
【図３】蓄光体、蛍光体の配列と孔穴の詳細図
【図４】木製丸棒の展開図
【考案を実施するための形態】
【０００９】  手すり本体は直径を凡そ３．２ｃｍから６ｃｍとなした木製丸棒であり、手すり本体１の同一線上に、１０ｍｍの間隔で孔穴Ａを設け、滑り止め効果の高いシリコン入りゴム製チップΩを埋め込んだものである。孔穴Ａは、直径Ｒを１２ｍｍ、深さＨを９ｍｍとする。シリコン入りゴム製チップΩは、直径１２ｍｍ、高さ８ｍｍのものを使用する。
また、上述のゴム製チップと並列したかたちで、２０ｍｍから５０ｍｍの間隔で孔穴Ｂを設け、暗所で光を放つ蓄光顔料粉と白色のシリコン樹脂を混合した蓄光体αと、光を反射する蛍光顔料粉と透明のシリコン樹脂を混合した蛍光体βとを交互に流し込む。
孔穴Ｂは、直径Ｒを６ｍｍ、深さＨを４ｍｍとする。
【００１０】  本考案では、シリコン入りゴム製チップΩは、協和ゴム工業株式会社製の差込バンパーＲＢ−５１０を使用する。
蓄光体αは、根元特殊化学株式会社製の光輝度長残光性蓄光顔料Ｎ夜光・ルミノーバＧＬＬ−３００ＦＦの顔料粉を使用し、白色のシリコン樹脂に対し、１０％〜２０％の割合で混合する。この顔料は、太陽光または紫外線を凡そ１０分間照射すると、約１０時間発光しつづける特徴を持つものである。
蛍光体βは、透明のシリコン樹脂に対し、蛍光顔料粉を１０％〜２０％の割合で混合する。
【００１１】  そうして、蓄光体α、蛍光体βを交互に孔穴に流し込んだ後、表面を透明のビニールチップで覆い、仕上げる。ビニールチップθは、直径を６ｍｍ、厚さを１ｍｍとする。
なお、手すりの使用場所やその用途に応じて、シリコン入りゴム製チップと、蓄光体、蛍光体の列数を変えてもかまわない。
【符号の説明】
【００１２】１  手すり本体
Ａ  シリコン入りゴム製チップの孔穴
Ω  シリコン入りゴム製チップ
Ｂ  蓄光体、蛍光体の孔穴
α  蓄光体
β  蛍光体
θ  透明ビニールチップ
【図１】
0003220584.tif 000003
【図２】
0003220584.tif 000004
【図３】
0003220584.tif 000005
【図４】
0003220584.tif 000006
(57)【要約】      （修正有）【課題】就寝時の肩冷えを防ぎ、しかも保温することにより、肩凝りを解消出来るチョッキを提供する。【解決手段】脇から上の肩と肩甲骨部分全体のみを包み込む構造を有するチョッキである。就寝時の肩冷えは、脇から上だけのチョッキを着用することにより解消される。このチョッキをある程度長期間使用することにより肩凝り状態が解消される。【選択図】図１
0003220571.tif 000002
【実用新案登録請求の範囲】
【請求項１】
脇から上の部分だけを包み込み保温するための肩だけのチョッキ。
【考案の詳細な説明】
【技術分野】
【０００１】  本考案は、就寝中に掛け布団の隙間による肩部の冷えを防止し、関連して肩凝りが解消されるようにした衣類に関するものである。
【背景技術】
【０００２】  従来は就寝時に、一般的に、ショールやタオルなどを肩に掛けて冷えを防いでいた。
【考案の概要】
【考案が解決しようとする課題】
【０００３】（イ）従来の方法は、就寝のため、布団に入り、肩部が保温されるように、ショールやタオルなどを肩部にかけていたが、夜中に寝返りをうったりすると、ショールなどが肩から離れて、保温の役目を果たさなくなり、就寝中、ずっと肩を保温し続けることが難しかった。
0003220571.tif 000003
寝ると、睡眠中に肩以外の腹部や背中部分が暑くなり汗をかくことになる。
本考案は、以上のような欠点をなくすために考えたものである。
【課題を解決するための手段】
【０００４】  薄くて軽く保温性のある毛布状の布で、脇から上の肩と肩甲骨部分全体を包み込むようなチョッキ状のものである。
【考案の効果】
【０００５】（イ）パジャマの上に着用することにより、就寝時の肩部が、いつでも一定の保温状態を保てる。
（ロ）肩甲骨部分全体を保温するので、長期使用により「肩こり」状態が解消される。
（ハ）腹部やその背中部は肩以外なので暑くならない。
【図面の簡単な説明】
【０００６】
【図１】  本考案の正面図である。
【図２】  本考案の背面図である。
【符号の説明】
【０００７】  １  チョッキ
【図１】
0003220571.tif 000004
【図２】
0003220571.tif 000005
【手続補正書】
【提出日】平成30年12月20日(2018.12.20)
【手続補正１】
【補正対象書類名】実用新案登録請求の範囲
【補正対象項目名】全文
【補正方法】変更
【補正の内容】
【実用新案登録請求の範囲】
【請求項１】
脇から上の肩と肩甲骨部分全体のみを包み込む構造を有するチョッキ。
(57)【要約】      （修正有）【課題】菓子袋の一部を手で切り取り指カバーとし、菓子に直接指を触れること無く、菓子を食することを可能とする菓子袋を提供する。【解決手段】菓子袋本体１に切り込み口４、圧着シール部５，切り込み口６を設け、切り取り想定ライン７にそって手で切り取り、指カバー３を作り、親指と人差し指で指カバー３をはさみ、菓子を直接指が菓子に触れることなく摘んで食すことが可能となる。【選択図】図１
0003220510.tif 000002
【実用新案登録請求の範囲】
【請求項１】
菓子袋の角部を手で４角に切り取れるように切り込み口をつけ切り取った部分が菓子を指で摘むときの指カバーになることを特徴とする指カバーがとれる菓子袋。
【考案の詳細な説明】
【技術分野】
【０００１】  本考案は菓子袋の一部を切り取り，その切り取り部分が菓子を指で摘むときの指カバーになる菓子袋に関するものである。
【背景技術】
【０００２】  菓子袋を開けて菓子を食べる場合，指で直接摘む，箸を使用する，トングを使用するなどの方法があった。
【考案の概要】
【考案が解決しようとする課題】
【０００３】  菓子袋を開けて菓子を食べる場合，箸やトングを使用する方法があったが持ち合わせ，衛生上の手入れなどの問題がありほとんど使用されず指で直接摘んで指を拭きながら食べることが多く、不衛生且つわずらわしかった。従って菓子袋の角部を切り取り、それを指カバーとして指が直接菓子に触れることなしに食べることを可能とし前述の欠点を解決しようとするものである。
【問題を解決するための手段】
【０００４】  本考案は菓子袋のコーナー部２か所に切り込み口をつけ，ここから道具を使わず手でコーナー部を４角形に切り取り，この切り取り部分は袋の素材を折り曲げた状態なのでバネ効果があり且つ袋の角部なので開いたときの開き寸法も適度に保たれピンセットのように指カバーとして菓子を摘み直接指が菓子に触れることなく菓子を食べることが可能となり前述の問題点を解決している。
【考案の効果】
【０００５】  上述のように本考案の指カバーは元の菓子袋角部の一部そのままの形状なので菓子に触れるのは元の菓子袋の内側であり指は直接菓子に触れることがなく衛生的であり他のことをしながら置き取りの使用も容易に行え又指カバーは袋本体の一部なので持ち合わせの問題もなく、使用後は袋本体と一緒に廃棄できる。
【図面の簡単な説明】
【０００６】
【図１】本考案の指カバーを切り取る前の菓子袋本体の実施例を示す。
【図２】菓子袋本体から切り取った本指カバーの図である。
【図３】本指カバーを使用し菓子を摘んだ状態の図である。
【考案を実施するための形態】
【０００７】  菓子袋の多くは強度が強いため切り込み口が無ければ手で切ることはむづかしい。
圧着シールのある部分へは切り込みをつけられるが多くの菓子袋の側面部にはシールが無いのでここを切るためには圧着シールを施し切り込み口をつける必要がある。それにより袋本体の角部２方向につけた切り込み口から道具を使わずに手で４角に切り取ることが可能となる。この切り取り部分は袋素材の弾力性によりバネ効果があり且つ袋の角部なので開いたときの開き寸法も適度に保たれピンセット状となりこれを指カバーとして菓子を摘むことが可能となる。
【実施例】
【０００８】  以下、添付図面に従って−実施例を説明する。１は菓子袋本体、２は菓子袋本体の圧着シール部、３は本考案の指カバーになる部分、４は本考案の切り込み口、５は本考案の圧着シール部、６は本考案の切り込み口、７は本考案で切り取る想定ライン、８は指カバーを使用し菓子を摘む状態の親指、９は指カバーを使用し菓子を摘む状態の人差し指、１０は指カバーを使用し摘んだ状態の菓子。【０００９】  菓子袋本体に４の切り込み口、５の圧着部、６の切り込み口を設け、７の切り取り想定ラインにそって指で切り取り、３の指カバーを作る。３の指カバーはバネ効果で少し開いた状態になっているのでこれを８の親指と９の人差し指ではさみ１０の菓子を摘む。【００１０】  ８の親指と９の人差し指を開いてゆるめれば３の指カバーはバネの効果で指について開き１０の菓子は解放される。
【符号の説明】
【００１１】  １    菓子袋本体
２    菓子袋本体の圧着シール部
３    指カバー
４    切り込み口
５    圧着シール部
６    切り込み口
７    切り取り想定ライン
８    親指
９    人差し指
１０  菓子
【図１】
0003220510.tif 000003
【図２】
0003220510.tif 000004
【図３】
0003220510.tif 000005
【手続補正書】
【提出日】平成30年12月7日(2018.12.7)
【手続補正１】
【補正対象書類名】実用新案登録請求の範囲
【補正対象項目名】全文
【補正方法】変更
【補正の内容】
【実用新案登録請求の範囲】
【請求項１】
菓子袋の角部を手で４角に切り取れるように、前記角部２方向の圧着シ−ルのある部分に切り込み口をつけ、切り取った部分が菓子を指で摘むときの指カバーになることを特徴とする指カバーがとれる菓子袋。
(57)【要約】      （修正有）【課題】コードに直接取り付けができ、コードを簡単に纏めることができる輪ゴム付結束バンドを提供する。【解決手段】輪ゴム１と結束バンド２を一体とし、コードに結束バンドを用いて輪ゴムを取り付けることにより、いつでも簡単に輪ゴムでコードを束ねて纏めることができるようにした。【選択図】図１
0003220509.tif 000002
【実用新案登録請求の範囲】
【請求項１】
輪ゴムと結束バンドを一体にすることにより、簡単に電気コード等を纏めることができるようにした輪ゴム付結束バンド。
【考案の詳細な説明】
【技術分野】
【０００１】  本考案は、輪ゴムを結束バンドと一体に付けることにより電気コード等を簡単にまとめることができる輪ゴム付結束バンドに関するものである。
【技術背景】
【０００２】  従来からの電気コードの結束バンドは独立したものであったり、コードに取り付けることはできても嵩張って邪魔になったり、見た目に目立つものであった。
【先行技術文献】
【特許文献】
【０００３】
【特許文献１】実用新案  昭５４−１１３０８１号  公報
【特許文献２】実用新案登録第３１９７１１０号  公報
【非特許文献】
【０００４】
【考案の概要】
【考案が解決しようとする課題】
【０００５】  解決しようとする問題点は、電気コードの片づけを簡単にしようとするものである。
従来のコードの纏め方は、コード自体を縛ったり、針金や結束バンドで纏めていたが、コード自体に取り付けられなかったり、取り付けられても嵩張って邪魔になったり、目立つものが多かった。そこでコードに直接取り付けができて簡単にコードを纏めることができるようにした。
【課題を解決するための手段】
【０００６】コードを簡単に纏めることができるように、纏めるための輪ゴムをコードに直接取り付けられるようにした。
【考案の効果】
【０００７】  コードに取り付けることにより、いつでも手軽にコードを束ね、纏めることができる。使用しているコードも長すぎて邪魔な場合、一部を纏めることによりコードがスッキリと片付く。
【図面の簡単な説明】
【０００８】
【図１】結束バンドと輪ゴムを１体につけたものである。
【図２】結束バンドで輪ゴム部分をコードに取り付ける図である。
【図３】コードに輪ゴムを結束バンドで取り付け、結束バンドを締め付けた図である。
【図４】輪ゴム付結束バンドをコードに取り付け、余分な部分をカットした状態である。
【図５】輪ゴム付結束バンドの使用状況図（例）
【図６】輪ゴム付結束バンドの使用状況図（例）
【本考案を実施するための形態】
従来の結束バンドは、コードを纏めるために締め付ける使い捨てのタイプ、またはコードに取り付け可能なものでも嵩張って邪魔になったり目立つものが多かった。本考案は結束バンドと輪ゴムを付けて一体とし、結束バンドで輪ゴムをコードに固定し、輪ゴムでコードを纏める形態とした。コードを簡単に纏めることができるように、纏めるための輪ゴムをコードに直接結束バンドで取り付けられるように輪ゴムと結束バンドを一体につけた。
【実施例】
【０００９】  図１が輪ゴムと結束バンドを１体につけたものであるが、図２・３のようにコードに結束バンドで締め付け、図４のように結束バンドの余った部分を切る。図５のように輪ゴムでコードを束ねて纏めることができる。図６は長すぎるコードを一部纏めた状態である。
【符号の説明】        １  輪ゴム部分（ゴム製）
２  結束バンド部分（ナイロン製等）
【図１】
0003220509.tif 000003
【図２】
0003220509.tif 000004
【図３】
0003220509.tif 000005
【図４】
0003220509.tif 000006
【図５】
0003220509.tif 000007
【図６】
0003220509.tif 000008
【手続補正書】
【提出日】平成30年12月6日(2018.12.6)
【手続補正１】
【補正対象書類名】実用新案登録請求の範囲
【補正対象項目名】全文
【補正方法】変更
【補正の内容】
【実用新案登録請求の範囲】
【請求項１】
輪ゴムと結束バンドのロック爪部分の外側面を結合して一体にすることにより、簡単に電気コード等を纏めることができるようにした輪ゴム付結束バンド。
【手続補正２】
【補正対象書類名】明細書
【補正対象項目名】全文
【補正方法】変更
【補正の内容】
【考案の詳細な説明】
【技術分野】
【０００１】  本考案は、輪ゴムと結束バンドのロック爪部分の外側面を結合して一体にすることにより、電気コード等を簡単にまとめることができる輪ゴム付結束バンドに関するものである。
【技術背景】
【０００２】  従来からの電気コードの結束バンドは独立したものであったり、コードに取り付けることはできても嵩張って邪魔になったり、見た目にも目立つものであった。
【先行技術文献】
【特許文献】
【０００３】
【特許文献１】実用新案  昭５４−１１３０８１号  公報
【特許文献２】実用新案登録第３１９７１１０号  公報
【非特許文献】
【０００４】
【考案の概要】
【考案が解決しようとする課題】
【０００５】  解決しようとする問題点は、電気コードの片づけを簡単にしようとするものである。
従来のコードの纏め方は、コード自体を縛ったり、針金や結束バンドで纏めていたが、コード自体に取り付けられなかったり、取り付けられても嵩張って邪魔になったり、目立つものが多かった。そこでコードに直接取り付けができて簡単にコードを纏めることができるようにした。
【課題を解決するための手段】
【０００６】コードを簡単に纏めることができるように、纏めるための輪ゴムをコードに直接取り付けられるようにした。
【考案の効果】
【０００７】  コードに取り付けることにより、いつでも手軽にコードを束ね、纏めることができる。使用しているコードも長すぎて邪魔な場合、一部を纏めることによりコードがスッキリと片付く。
【図面の簡単な説明】
【０００８】
【図１】輪ゴムと結束バンドのロック爪部分の外側面を結合して一体にしたものである。
【図２】結束バンド部分で輪ゴム部分をコードに取り付ける図である。
【図３】コードに輪ゴムを結束バンドで取り付け、結束バンドを締め付けた図である。
【図４】輪ゴム付結束バンドをコードに取り付け、余分な部分をカットした状態である。
【図５】輪ゴム付結束バンドの使用状況図（例）
【図６】輪ゴム付結束バンドの使用状況図（例）
【本考案を実施するための形態】
【０００９】    従来の結束バンドは、コードを纏めるために締め付ける使い捨てのタイプ、またはコードに取り付け可能なものでも嵩張って邪魔になったり目立つものが多かった。本考案は輪ゴムと結束バンドのロック爪部分の外側面を結合して一体とし、結束バンド部分で輪ゴム部分をコードに固定し、輪ゴムでコードを纏める形態とした。
【実施例】
【００１０】  図１が輪ゴムと結束バンドのロック爪部分の外側面を結合して一体につけたものであるが、図２・３のようにコードに結束バンドで締め付け、図４のように結束バンドの余った部分を切る。図５のように輪ゴム部分でコードを束ねて纏めることができる。図６は長すぎるコードを一部纏めた状態である。
【符号の説明】        １  輪ゴム部分（ゴム製）
２  結束バンド部分（ナイロン製等）
(57)【要約】      （修正有）【課題】靴下を洗濯・乾燥・取り入れ・収納する時に片方の靴下の紛失を防止し、また家事作業の軽減を図るプラスチックホック付き靴下を提供する。【解決手段】プラスチックホック付き靴下であって、一対の靴下１、２の足入れ口の内側にプラスチックホック３、４を取り付け、プラスチックホック３、４は、靴下１、２を脱いだ時から洗濯・乾燥・取り入れ・収納までの間、プラスチックホック３、４を留めることが可能である。【選択図】図１
0003220501.tif 000002
【実用新案登録請求の範囲】
【請求項１】
一対の靴下の足入れ口の内側にプラスチックホックを取り付け、靴下を脱いだ時にプラスチックホックをセットしておく。洗濯・乾燥・取り入れ・収納までプラスチックホックを付けたままで行い、靴下を使用する時にプラスチックホックを外して使用する。
靴下の厚み・大きさ・形状に合わせてプラスチックホックも９ｍｍから１２ｍｍへ変更することにより強度の調整を行う。
【考案の詳細な説明】
【技術分野】
【０００１】  この考案は靴下を洗濯・乾燥・収納する時に片方の靴下の紛失を防止するものである。
【背景技術】
【０００２】  現在、靴下を洗濯した時、片方の靴下が衣類の中に紛れ込んでいたり、干す時・取り入れする時に落としたりすることがある。また、収納する時に片方の靴下が紛失したり、同じような靴下があるときは、どちらが一対なのか分かりにくい時がある。
【考案の概要】
【考案が解決しようとする課題】
【０００３】  これは次のような問題点・手間がかかっていた。
（イ）靴下を洗濯して洗濯機から出し、干す時に他に衣類な中から一対の靴下を探すのに手間がかかっていた。
（ロ）  一対の靴下を干す時、ピンチハンガー（洗濯バサミが２０個程度並んでいるもの）の洗濯バサミ２個使用していた。
（ハ）  乾燥して取り入れする時、片方の靴下を落とし、汚す時があった。
（ニ）  他の乾燥衣類と一緒に取り入れした時、靴下の片方が紛失（衣類に紛れ込み・運搬時に落下）したり、似たような靴下をペアにすることがある。
（ホ）  タンス収納の時、一対にするため２足を揃え、片方の足の入れ口を裏返して外れないようにしていた。
本考案は、これらの欠点を除くためになされたものである。
【課題を解決するための手段】
【０００４】  一対の靴下の足入れ口の内側にプラスチックホックを取り付け、靴下を脱いだ時にホッ  クをセットしておく。洗濯・乾燥・取り入れ・収納までプラスチックホックを付けたま  まにしておき、靴下を使用する時にボタンを外して使用する。
靴下の厚み・大きさ・形状に合わせてプラスチックホックも９ｍｍから１２ｍｍへ変えることにより強度の調整をおこなう。
【考案の効果】
【０００５】（イ）使用済み靴下を、プラスチックホックで簡単に留めることにより、洗濯をした時に他の衣類紛れ込む事がなくなる。
（ロ）靴下を干す時、取り入れをする時にピンチハンガー（洗濯バサミが２０個程度並んでいるもの）などを使用するが洗濯バサミ１個の使用で済み、手間が省ける。
（ハ）収納するときも一対になっているため、そのまま簡単に収納ができる。
（ニ）靴下の色に合わせてプラスチックホックの色を変えることにより、履いている時も気にならない。
（ホ）靴下にプラスチックホックを取り付けても履き心地に違和感はなく、金属アレルギーの心配もない。
【図面の簡単な説明】
【０００６】
【図１】本考案の展開図である。
【０００７】
【図２】プラスチックホックの詳細図である。
【図１】
0003220501.tif 000003
【図２】
0003220501.tif 000004
【手続補正書】
【提出日】平成30年9月26日(2018.9.26)
【手続補正１】
【補正対象書類名】実用新案登録請求の範囲
【補正対象項目名】全文
【補正方法】変更
【補正の内容】
【実用新案登録請求の範囲】
【請求項１】
プラスチックホック付き靴下であって、一対の前記靴下の足入れ口の内側にプラスチックホックを取り付け、前記プラスチックホックは、靴下を脱いだ時から洗濯・乾燥・取り入れ・収納までの間、前記プラスチックホックを留めることが可能であることを特徴とするプラスチックホック付き靴下。
(57)【要約】【課題】  本考案は、耳介押圧器で簡単にピンポイントで刺激することができるクリップ部を設け耳介押圧することで身体の不調を改善する。【解決手段】  本考案は、押圧器本体１にクリップ部２をバネ３で固定一体化し、クリップ部２の先端に半球形状の突起部４を設けクリップ部２で耳介を押圧することにより、ピンポイントで耳ツボを刺激することができる。また、耳介押圧時クリップ部２が耳介に対して安定押圧できるよう耳介に密着する押圧器本体１は、クリップ部２より大きい形状とし、耳介固定押圧することにより、身体の不調を改善することに役立つ。【選択図】図１
0003220964.tif 000002
【実用新案登録請求の範囲】
【請求項１】
耳介押圧器本体にクリップ部を固定一体化し、その先端に半球状等の突起部を設け、耳介押圧時にクリップの安定を保持するため、耳介の裏側に密着する押圧器本体はクリップ部より大きい形状としたところを特徴とするクリップ型耳介押圧器。
【考案の詳細な説明】
【技術分野】
【０００１】  本考案は、耳介押圧器本体に耳介を挟むためのクリップ型状を設け、一体化した耳介押圧器に関するものである。
【背景技術】
【０００２】  耳介には、身体のそれぞれの部位に対応するツボ（反射痛点）があると言われ、その身体の部位に異常がある場合等、その部位に有効な耳ツボに電気治療器の導子を当てたり、貼付型接触粒や鍼シールを密着させて耳ツボを刺激していた。
【考案の概要】
【考案が解決しようとする課題】
【０００３】  電気治療等は、その構造上どこでも簡単に使用することは困難であり、また貼付型の接触粒や鍼シールは、長時間肌に貼付するため皮膚のダメージの原因にもなっていた。そのため心的負担も大きく、さらに貼り替えによる経済的、時間的負担である。従って、耳介押圧器本体の一部に耳ツボを押圧するクリップ型状を付設、一体化し、クリップ操作により耳ツボを短時間刺激することにより、前述の欠点を解決しようとするものである。
【考案が解決するための手段】
【０００４】  本考案は、耳介押圧器本体にクリップ部をバネで固定、一体化し、そのクリップの先端部は耳ツボをピンポイントで押圧可能な半球形状等の突起部を設け、そのクリップ部で耳ツボを短時間刺激することにより問題点を解決している。
【考案の効果】
【０００５】  上述の様に、クリップ型耳介押圧器は、いつ、どこでも簡単に耳ツボを押圧することが可能であり、例えば急性の疼痛にもその耳ツボの反射痛点に即対応することで耳ツボ刺激効果として疼痛等の軽減に役立つ。
【図面の簡単な説明】
【０００６】
【図１】  本考案のクリップ型耳介押圧器の一実施例を示す平面図である。
【図２】  本押圧器の側面図である。
【考案を実施するための形態】
【０００７】  押圧器本体にクリップ部をバネで固定し、本体と一体化することにより、そのクリップ部で耳ツボ（反射痛点）が押圧できる様クリップ部を操作することで、耳ツボ刺激が可能となる。また、耳介の耳ツボ刺激は、クリップ操作で自在となる。
【実施例】
【０００８】  以下、添付図面に従って一実施例を説明する。１は、耐久性プラスチック等適宜素材にて形成された押圧器本体。２は、耳介を押圧するクリップ部、バネ３で本体１と一体化されている。このクリップ部２を開閉操作することでクリップは自在に耳介を押圧する。【０００９】  また、クリップ部２の先端は、半球形状の突起部４を設け、ピンポイントで耳ツボ押圧が可能となる。【００１０】  押圧器本体１は、押圧時クリップ部２の耳介への固定が不安定にならない様耳介に安定よく密着するようにクリップ部２より大きな形状とする。【００１１】  本考案の一実施例は、上述の如き構成からなるものであるから、押圧器本体１は数ｃｍとコンパクトな形状であるため、小物入れ等に収納し常時携帯が可能である故に、いつでも簡単に耳ツボ刺激に対応できる。
【符号の説明】
【００１２】１  押圧器本体
２  クリップ部
３  バネ
４  突起部
【図１】
0003220964.tif 000003
【図２】
0003220964.tif 000004
【手続補正書】
【提出日】平成31年2月4日(2019.2.4)
【手続補正１】
【補正対象書類名】実用新案登録請求の範囲
【補正対象項目名】全文
【補正方法】変更
【補正の内容】
【実用新案登録請求の範囲】
【請求項１】
耳介押圧器本体にクリップ部を固定一体化し、そのクリップ部の先端に半球状の突起部を設け、耳介押圧時にクリップの安定を保持するため、耳介の裏側に密着する押圧機本体はクリップ部より大きい形状としたところを特徴とするクリップ型耳介押圧器。